(57)【要約】      （修正有）【課題】衣服としてのファッション性に優れ、排気口構造の調節を手間数少なく簡単に行えて取り扱い性のよい、サイズ調節可能なファン付き衣服を提供すること。【解決手段】ファン付き衣服１０は、空気流通用のファンが設けられている後身頃、前身頃２、後身頃―前身頃２間に設けられている側方サイズ調節部３を備えており、前身頃２を構成する左前身頃２Ｌと右前身頃２Ｒとの間には前方サイズ調節部６が設けられており、側方サイズ調節部３と前方サイズ調節部６とはいずれも本衣服１０のサイズを調節するものであってかついずれも相互に係合する第一係合手段７と第二係合手段８とからなる構成とする。【選択図】図１
0003228656.tif 000002
【実用新案登録請求の範囲】
【請求項１】
空気流通用のファンが設けられている後身頃と、前身頃と、該後身頃―前身頃間に設けられている側方サイズ調節部とを備えてなるファン付き衣服であって、
該前身頃を構成する左前身頃と右前身頃との間には前方サイズ調節部が設けられており、
該側方サイズ調節部と前方サイズ調節部とはいずれも本衣服のサイズを調節するものであって、
かついずれも相互に係合する第一係合手段と第二係合手段とからなる
ことを特徴とする、ファン付き衣服。
【請求項２】
前記側方サイズ調節部の第二係合手段は複数設けられていることを特徴とする、請求項１に記載のファン付き衣服。
【請求項３】
前記前方サイズ調節部の第二係合手段は複数設けられていることを特徴とする、請求項１、２のいずれかに記載のファン付き衣服。
【請求項４】
前記側方サイズ調節部および前方サイズ調節部はいずれもファスナーであり、前記第一係合手段および第二係合手段は該ファスナーを構成するファスナーエレメントであることを特徴とする、請求項１、２、３のいずれかに記載のファン付き衣服。
【請求項５】
前記後身頃の内側には空気流通用のサイズ調節可能な帯状体が設けられており、該帯状体の中央部に相互に係合する一の第一係合部位と一または複数の第二係合部位があり、これらによってサイズ調節可能であることを特徴とする、請求項１、２、３、４のいずれかに記載のファン付き衣服。
【考案の詳細な説明】
【技術分野】
【０００１】
本考案はファン付き衣服に係り、特に、ファンにより外気を衣服内に流通させて着用者の身体を冷却するファン付き衣服において、衣服のサイズを幅広くかつ簡易に調節することのできるファン付き衣服に関する。
【背景技術】
【０００２】
ファン付き衣服は、背面部（後見頃）に設けられたファンによって衣服内部に外気を取り込み、それにより着用者の身体を冷却するものである。ファン付き衣服については技術的提案も多数なされている。たとえば後掲特許文献１には、作業現場以外の場所でも使用に違和感のないデザインのファン付き上着として、後身頃の内側に襟を弛ませて身体との隙間を形成し空気を流通させやすくするための首当帯を設けた構成が開示されている。首当帯の両端は各肩に固着され、後身頃の中央すなわち背骨相当位置を挟んで左右各端にそれぞれ、雌雄の関係で係合可能な係合部が設けられており、係合部の係合により首当帯の長さを短縮する構成である。
【先行技術文献】
【特許文献】
【０００３】
【特許文献１】特開２０１９−９４５９９号公報「ファン付上着」
【特許文献２】実用新案登録第３２２０５７８号公報「ヒータ付き衣服」
【考案の概要】
【考案が解決しようとする課題】
【０００４】
さてファン付き衣服では、ファンにより外気を服の内側に取り込み、これを襟等から排気させるよう流通させ、いわば風の通り道を形成する。この時、より多量の空気を流通させる方が、つまり流路の断面積の大きい方が、着用者の身体表面と服の内側との隙間が大きい方が、涼しさをより強く感じる構造とすることができる。したがって着用者は、自分が普段着用しているサイズよりも大きめのサイズを選択する方がよいとも言える。また、サイズの違いによって内側の風通しのよさ・風量を調節したい場合もある。これらの場合、１着のファン付き衣服でサイズを適宜調節、変更できれば便利である。
【０００５】
また、対面販売ではなく通信販売によってファン付き衣服を購入する場合、実際の試着ができないため、サイズ選択・決定は容易ではない。特に昨今のインターネットを介しての通信販売では不本意なサイズ選択の失敗が増えており、また返品や交換もしにくい点があり、不便である。このような問題も、サイズを適宜調節、変更可能なファン付き衣服であれば解決できる。しかしながら、かかるファン付き衣服は未だ提案・提供されていない。
【０００６】
一方、上記特許文献２のようにヒータ付き衣服においては、１着でサイズを変更可能とする考案が開示されている。すなわち、断熱性と伸縮性を有する後見頃および左右の前身頃の内側にヒータを備えたヒータ付き衣服において、後見頃または前見頃の胴部の少なくとも一方に、他方側に延びる延在部を備え、それによる後見頃・前見頃胴部の重ね合わせ部に胴回りサイズ調節用の接合部を備えた構成である。だが、着用者の身体を温める目的のヒータ付き衣服には使用できても、より薄地の生地が望ましい身体冷却目的のファン付き衣服には相応しくない。その上、延在部と接合部によるサイズ調節方式は如何にも外観上好ましいものとは言えず、より衣服としてのファッション性、外観のよさが考慮された方式が求められる。
【０００７】
また、服の内側に風を通して身体を冷却するファン付き衣服においては、ファンにより取り込んだ外気を効率よく排気する、すなわち良好に空気を流通させる、風通しのよい構造とすることも重要である。そのためには、襟等からの排気を円滑に行わせるための排気口構造を形成できること、しかも排気口の形成や調節をできるだけ簡単に行える取り扱い性のよさも望まれる。しかしながら上記特許文献１開示技術の方式では、対称性というデザイン性のよさを重視したがために、排気口構造の広さの調節には左右両肩でのボタン―ボタン穴の係合を行う必要があり、その分手間が掛かり、取り扱い性がよいとは言えない。より手間の掛からない、取り扱い性のよい方式が求められる。
【０００８】
そこで本考案が解決しようとする課題は、かかる従来技術の問題点をなくし、サイズ調節が可能なファン付き衣服を提供することである。また本考案の課題は、特に衣服としてのファッション性、外観も好ましい、サイズ調節可能なファン付き衣服を提供することである。また本考案の課題は、かかるサイズ調節可能なファン付き衣服において、排気口構造の調節を手間数少なく簡単に行える、取り扱い性のよいものを提供することである。
【課題を解決するための手段】
【０００９】
出願人は、衣服の前面と背面の間をなす左右の各側方部および前面をなす左右の前身頃の間にそれぞれサイズ調節部を設けること、各サイズ調節部の調節を複数段調節可能な方式とすること、かかるサイズ調節部をファスナーエレメントを用いて構成すること、また排気口構造とするための帯状体の調節方式を工夫することによって上記各課題を解決できることに想到し、それに基づいて本考案を完成するに至った。すなわち、上記課題を解決するための手段として本願で実用新案登録請求される考案、もしくは少なくとも開示される考案は、以下の通りである。
【００１０】
〔１〕  空気流通用のファンが設けられている後身頃と、前身頃と、該後身頃―前身頃間に設けられている側方サイズ調節部とを備えてなるファン付き衣服であって、該前身頃を構成する左前身頃と右前身頃との間には前方サイズ調節部が設けられており、該側方サイズ調節部と前方サイズ調節部とはいずれも本衣服のサイズを調節するものであって、かついずれも相互に係合する第一係合手段と第二係合手段とからなることを特徴とする、ファン付き衣服。
〔２〕  前記側方サイズ調節部の第二係合手段は複数設けられていることを特徴とする、〔１〕に記載のファン付き衣服。
〔３〕  前記前方サイズ調節部の第二係合手段は複数設けられていることを特徴とする、〔１〕、〔２〕のいずれかに記載のファン付き衣服。
【００１１】
〔４〕  前記側方サイズ調節部および前方サイズ調節部はいずれもファスナーであり、前記第一係合手段および第二係合手段は該ファスナーを構成するファスナーエレメントであることを特徴とする、〔１〕、〔２〕、〔３〕のいずれかに記載のファン付き衣服。
〔５〕  前記後身頃の内側には空気流通用のサイズ調節可能な帯状体が設けられており、該帯状体の中央部に相互に係合する一の第一係合部位と一または複数の第二係合部位があり、これらによってサイズ調節可能であることを特徴とする、〔１〕、〔２〕、〔３〕、〔４〕のいずれかに記載のファン付き衣服。
【考案の効果】
【００１２】
本考案のファン付き衣服は上述のように構成されるため、これによれば、衣服の側方部や前面部において容易に胴回りのサイズを調節することができる。これにより着用者は、１着のファン付きベストを周囲の状況や自身の身体状況に合わせて自由自在に適宜にサイズを調節して着用することができ、内側の風通しのよさや風量を調節することができる。
【００１３】
また、少なくともいずれかのサイズ調節部の第二係合手段を複数備えるタイプの本考案ファン付き衣服は、たとえば日本人成人男子のＭサイズから４Ｌサイズまでカバーする仕様とすることも可能であり、もちろんこれよりさらに広い範囲をカバーする仕様も可能であり、単一のサイズ仕様で痩せ型から超肥満体まで対応可能である。したがって購入者は、サイズの選択や決定に悩むことがない。また、単一のサイズ仕様とすることが可能なため、通信販売によって本考案ファン付き衣服を購入する場合であっても、不本意なサイズ選択の失敗が生じない。
【００１４】
また、右両側方部や前部のサイズ調節部にファスナーエレメントを用いる構成の本ファン付き衣服を初めとして本考案のファン付き衣服は、サイズ調節を左右両側方部や前部中央において行うことができるため、衣服としてのファッション性、外観もよく、これらを損なうことがない。
【００１５】
また、後身頃の内側に空気流通用のサイズ調節可能な帯状体を備える構成の本考案ファン付き衣服によれば、着用者は、空気粒通用の排気口構造の形成やその広さの調節を、上記従来技術よりも手間数少なく簡単に行うことができ、取り扱い性がよい。
【図面の簡単な説明】
【００１６】
【図１】本考案のファン付き衣服実施例の正面図である。
【図２】図１に示す実施例の右側面図であり、側方サイズ調節部の調節例を示す（その１）。
【図３】図１に示す実施例の右側面図であり、側方サイズ調節部の調節例を示す（その２）。
【図４】図１に示す実施例の右側面図であり、側方サイズ調節部の調節例を示す（その３）。
【図５】図１に示す実施例の右側面図であり、側方サイズ調節部の調節例を示す（その４）。
【図６】図１に示す実施例を平面上に広げて前身頃を開いた状態を示す正面図である。
【図７】図１に示す実施例の正面図であり、前方サイズ調節部の調節例を示す（その１）。
【図８】図１に示す実施例の正面図であり、前方サイズ調節部の調節例を示す（その２）。
【図９】図１に示す実施例を平面上に広げて前身頃を開き、かつ帯状体のサイズを調節して排気口構造が形成された一状態を示す正面図である。
【図１０】製品例を示す写真図であり、側方サイズ調節部の調節例を示す。
【図１１】製品例を示す写真図であり、空気流通用の帯状体の調節例を示す。
【考案を実施するための形態】
【００１７】
以下、図面により本考案を詳細に説明する。なお、各図は本考案の一実施例であり、各図においては、そこに示された具体的構成要素を全て備えた構成に本考案が限定されるものではない。たとえば、図５では側方サイズ調節部に係る第二係合手段の数は３であるが、本考案がかかる数に限定されるものではない、等である。
図１は、本考案のファン付き衣服実施例の正面図である。また、図２〜５は図１に示す実施例の右側面図であり、側方サイズ調節部の調節例を示す。図１〜５はいずれも、本実施例ファン付き衣服をマネキンに着用させた状態を示す。また図６は、図１に示す実施例を平面上に広げて前身頃を開いた状態を示す正面図である。
【００１８】
これらに示すように本考案ファン付き衣服１０は、空気流通用のファン９が設けられている後身頃１と、前身頃２と、後身頃１―前身頃２間に設けられている側方サイズ調節部３とを備えており、前身頃２を構成する左前身頃２Ｌと右前身頃２Ｒとの間には前方サイズ調節部６が設けられており、側方サイズ調節部３と前方サイズ調節部６とはいずれも本衣服１０のサイズを調節するものであって、かついずれも相互に係合する第一係合手段４、７と第二係合手段５、８とからなることを、主たる構成とする。
【００１９】
すなわち、本ファン付き衣服１０の側方サイズ調節部３は、胴回り方向に位置を違えて設けられており、かつ相互に係合する第一係合手段４および第二係合手段５からなる。側方サイズ調節部３の第一係合手段４と第二係合手段５とを係合させない場合、両係合手段４、５は胴回り方向に離間して設けられているのでその離間幅分、より緩やかなサイズとなる。一方、第一係合手段４と第二係合手段５とを係合させた場合、離間幅分が胴回り方向で詰められるため、より締まったサイズとなる。このように、側方サイズ調節部３における両係合手段４、５の係合の有無によって、サイズを調節することができる。
【００２０】
また、本ファン付き衣服１０の前方サイズ調節部６は、胴回り方向に位置を違えて設けられており、かつ相互に係合する第一係合手段７および第二係合手段８からなる。前方サイズ調節部６の第一係合手段７と第二係合手段８とを係合させない場合、両係合手段７、８は胴回り方向に離間して設けられているのでその離間幅分、より緩やかなサイズとなる。一方、第一係合手段７と第二係合手段８とを係合させた場合、離間幅分が胴回り方向で詰められるため、より締まったサイズとなる。このように、前方サイズ調節部６における両係合手段７、８の係合の有無によって、サイズを調節することができる。
【００２１】
左右にそれぞれ設けられる側方サイズ調節部３、３と、前方サイズ調節部６を用いることにより、全てを係合させた場合から全てを開放した場合まで、８通りのサイズ調節を本ファン付き衣服１０では行うことができる。また、左右は同時に係合したり開放したりするように調節した場合には、４通りのサイズ調節を行える。なお、この後述べるように各サイズ調節部３、６における第二係合手段の数を複数とする場合には、さらにサイズ調節の段数を増やすことができる。
【００２２】
図２〜５に示す通り本ファン付き衣服１０では、側方サイズ調節部３の第二係合手段を、第二係合手段５ａ、５ｂ、・・・のように複数設ける構成とすることができる。各第二係合手段５ａ、５ｂ、・・・は相互に胴回り方向に離間して設けられ、それがサイズ調節の段数を決める。本実施例では側方サイズ調節部３には３個の第二係合手段５ａ、５ｂ、５ｃを設けたが、もちろんこれに本考案が限定されるものではない。また、側方サイズ調節部３の仕様は左右同一とすることが外観上も望ましいが、本考案はそれに限定されない。なお以降の説明では、左右同一仕様の側方サイズ調節部３、３に限定する。
【００２３】
側方サイズ調節部３の第一係合手段４、第二係合手段５ａ、第二係合手段５ｂ、・・・は胴回り方向に順に離間して設けられているので、その離間幅分に応じてサイズ調節が可能である。第一係合手段４をいずれの第二係合手段５ａ等とも係合させない場合には、全ての離間幅分が胴回りサイズに加えられるため、最も緩やかなサイズを形成する（図５）。第一係合手段４をこれに最も近く配置されている第二係合手段５ａに係合させた場合は、両者間の離間幅分が詰められ、サイズが一段小さくなる（図４）。
【００２４】
同様にして第一係合手段４を次の第二係合手段５ｂに係合させた場合は詰められる離間幅分がさらに加えられて、サイズはさらに一段小さくなる（図３）。このように側方サイズ調節部３の第二係合手段を複数とした場合には、三段以上のサイズ調節が可能となる。なお、第二係合手段５ａ等は実施例を超えて４個以上設けてもよいが、３個設けた仕様であってもサイズの範囲に十分対応できる。図２では、本実施例における側方サイズ調節部３による最小サイズとなる、第二係合手段５ｃを係合に用いた例を示す。
【００２５】
図７、８は、図１に示す実施例の正面図であり、前方サイズ調節部の調節例を示す。図示するように本ファン付き衣服１０は、前方サイズ調節部６の第二係合手段を、第二係合手段８ａ、８ｂのように複数設ける構成とすることができる。各第二係合手段８ａ等は相互に胴回り方向に離間して設けられ、それがサイズ調節の段数を決める。本実施例では前方サイズ調節部６には２個の第二係合手段８ａ、８ｂを設けたが、もちろんこの数に本考案が限定されるものではなく、３個以上を設ける構成としてもよい。
【００２６】
前方サイズ調節部６の第一係合手段７、第二係合手段８ａ、第二係合手段８ｂは胴回り方向に順に離間して設けられているので、その離間幅分に応じてサイズ調節が可能である。第一係合手段７をいずれの第二係合手段５ａ等とも係合させない場合には、全ての離間幅分が胴回りサイズに加えられるため、最も緩やかなサイズを形成する（図８）。第一係合手段７をこれに最も近く配置されている第二係合手段８ａに係合させた場合は、両者間の離間幅分が詰められ、サイズが一段小さくなる（前出図１）。
【００２７】
同様にして第一係合手段７を次の第二係合手段８ｂに係合させた場合は詰められる離間幅分がさらに加えられて、サイズはさらに一段小さくなる（図７）。このように前方サイズ調節部６の第二係合手段を複数とした場合には、三段以上のサイズ調節が可能となる。なお、第二係合手段８ａ等は実施例を超えて３個以上設けてもよいが、２個設けた仕様であってもサイズの範囲に十分対応できる。
【００２８】
側方サイズ調節部３における第二係合手段の数と、前方サイズ調節部６における第二係合手段の数は、実施例では前者が３個、後者が２個であり、サイズ調節を側方サイズ調節部３においてより幅広く行える仕様としてある。これとは逆に、前方サイズ調節部６においてサイズ調節をより幅広く行える仕様としてもよい。たとえば、側方サイズ調節部では第二係合手段を２個、前方サイズ調節部では第二係合手段を４個、等である。かかる例では、着用した状態でのサイズ調節の多くを体の前で行うことができ、サイズ調節がより容易になるという良さがある。
【００２９】
本考案ファン付き衣服１０は、側方サイズ調節部３および前方サイズ調節部６はいずれもファスナーであり、前者の第一係合手段４および第二係合手段５ａ等、また後者の第一係合手段７および第二係合手段８ａ等はいずれも、ファスナーを構成するファスナーエレメントとすることができる。側方サイズ調節部３や前方サイズ調節部６は、たとえばボタンとボタン穴などの別の方式も本考案からは除外されない。しかしながら、ファスナーは使い方が容易であり、また外観も好ましいため、推奨される。
【００３０】
図９は、図１に示す実施例を平面上に広げて前身頃を開き、かつ帯状体のサイズを調節して排気口構造が形成された一状態を示す正面図である。図示するように本ファン付き衣服１０は、後身頃１の内側に空気流通用のサイズ調節可能な帯状体Ｂが設けられており、帯状体Ｂの中央部に相互に係合する一の第一係合部位Ｂ１と一または複数の第二係合部位Ｂ２ａ等があり、これらによってサイズ調節可能な構成とすることができる。本実施例は第二係合部位の数は２個（Ｂ２ａ、Ｂ２ｂ）であるが、これは１個のみでも、また３個以上であってもよい。
【００３１】
かかる構成により本ファン付き衣服１０では、第一係合部位Ｂ１と第二係合部位Ｂ２ｂ等が係合されることにより、左右が固定されている帯状体Ｂを撓ませて後身頃１との間に空間を生ぜしめる。この空間は空気流通用であり、下方に設けられたファン９によって外部から給気された空気の流路となる。つまり、ファン９から吸気された空気が背中と後身頃１との間を通り、帯状体Ｂによる空気流通用空間を通って、上端部から排気されるという空気の流路である。これにより、ファン付き衣服１０の風通しの良さを高めることができる。
【００３２】
図９では空気流通用の空間が最大となるよう帯状体Ｂのサイズを調節する例を示したが、本実施例では、係合に第二係合部位Ｂ２ａを用いることによって、このサイズをもう一段狭くすることができる。これにより、風通しの良さも複数段で調節可能である。なお前出図６では、第一係合部位Ｂ１と第二係合部位Ｂ２ａ等とが係合されていない状態、すなわち空気流通用の空間が形成されていない状態を示した。
【００３３】
上述の先行技術では、後身頃内側の両肩部それぞれにボタンとボタン穴の組を設けた構成とし、空気流通空間を形成するのには左右肩両方計２箇所でボタンを掛ける必要がある。しかし本考案では、所望のサイズの空気流通空間を形成するのに１箇所の係合のみでよく、手間が少ない。なお、本考案の帯状体Ｂに係る第一係合部位Ｂ１と第二係合部位Ｂ２ａ等は、具体的にはボタンとボタン穴とすることができるが、これには限定されない。たとえば面ファスナーなど、適宜のものを用いることができる。
【００３４】
図１０、１１は、製品例を示す写真図である。本製品例の素材構成は１００％ポリエステルであり、ファンは５Ｖ・ＵＳＢモバイルバッテリー対応のものを２個備え、専用電源コード１を備える。また、内側には専用バッテリーポケットを備え、かつコードが絡みにくいようにコードストラップを設けている。さらに、本衣服のずり上がり防止のため、ウエストのゴムはきつめに構成した。
【００３５】
図１０には、側方サイズ調節部の調節例を示しており、これは左右双方に設けられている。図中の（ａ）〜（ｄ）の順に身幅調節を広くした状態である。図示しないが前方サイズ調節部も備えており、これらのサイズ調節部により、日本人成人男子のＭサイズから４Ｌサイズまでをカバーできる。
【００３６】
図１１には、空気流通用の帯状体の調節例を示す。図中、（ｅ）および（ｆ）は第一係合部位（ボタン）を第二係合部位（ボタン穴）に留めていない状態、（ｇ）および（ｈ）は第一係合部位（ボタン）を第二係合部位（ボタン穴）に留めている状態を示す。また、（ｅ）および（ｇ）は前身頃を開いて内側を正面から視た図、（ｆ）および（ｈ）は上方から視た図である。図示するように、帯状体をボタンで留めることにより、空気の通り抜け具合（空気の通り抜けの広さ）を調節することができる。
【産業上の利用可能性】
【００３７】
本考案のファン付き衣服によれば、衣服の側方部や前面部において容易に胴回りのサイズを調節することができ、１着のファン付きベストを周囲の状況や自身の身体状況に合わせて自由自在に適宜にサイズを調節して着用することができ、内側の風通しのよさや風量を調節することができる。また、内側での空気粒通用の排気口構造形成やその調節も容易に行える。したがって、衣料製造・使用分野、および関連する全分野において、産業上利用性が高い考案である。
【符号の説明】
【００３８】
１…後身頃
２…前身頃
２Ｌ…左前身頃、  ２Ｒ…右前身頃
３…側方サイズ調節部
４…（側方サイズ調節部の）第一係合手段
５、５ａ、５ｂ、５ｃ…（側方サイズ調節部の）第二係合手段
６…前方サイズ調節部
７…（前方サイズ調節部の）第一係合手段
８、８ａ、８ｂ…（前方サイズ調節部の）第二係合手段
９…ファン
１０…ファン付き衣服
Ｂ…帯状体
Ｂ１…（帯状体の）第一係合部位
Ｂ２、Ｂ２ａ、Ｂ２ｂ…（帯状体の）第二係合部位
【図１】
0003228656.tif 000003
【図２】
0003228656.tif 000004
【図３】
0003228656.tif 000005
【図４】
0003228656.tif 000006
【図５】
0003228656.tif 000007
【図６】
0003228656.tif 000008
【図７】
0003228656.tif 000009
【図８】
0003228656.tif 000010
【図９】
0003228656.tif 000011
【図１０】
0003228656.tif 000012
【図１１】
0003228656.tif 000013